【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
第１の金融市場指数が利用可能であるとき、前記第１の金融市場指数の少なくとも１つの桁の値に少なくとも部分的に基づき、スロットマシーンの第１リールの第１の値を決定し、前記スロットマシーンの第２リールの第２の値を決定し、前記第１の値及び前記第２の値に少なくとも部分的に基づき、賭けの結果を決定するよう構成される少なくとも１つのコントローラから構成されることを特徴とする賭けシステム。
【請求項２】
請求項１記載のシステムであって、
当該システムは、前記スロットマシーンを有することを特徴とするシステム。
【請求項３】
請求項１記載のシステムであって、
当該システムは、前記コントローラと賭けを通信するよう構成されるコンピュータ、携帯電話、携帯情報端末、キオスク及びＰＯＳ端末の少なくとも１つから構成されることを特徴とするシステム。
【請求項４】
請求項１記載のシステムであって、
前記スロットマシーンは、バーチャルスロットマシーンから構成されることを特徴とするシステム。
【請求項５】
請求項１記載のシステムであって、
前記コントローラはさらに、前記第１の値を前記スロットマシーンの第１リールのシンボルにマッピングし、前記第２の値を前記スロットマシーンの第２リールのシンボルにマッピングするよう動作可能であり、
前記結果の決定はさらに、前記スロットマシーンの第１リール及び第２リールのシンボルに少なくとも部分的に基づき行われる、
ことを特徴とするシステム。
【請求項６】
請求項１記載のシステムであって、
前記第１の金融市場指数は、複数の数字の桁から構成され、
前記第１の値は、前記複数の桁の最後の桁の値に少なくとも部分的に基づくものである、
ことを特徴とするシステム。
【請求項７】
請求項１記載のシステムであって、
前記第１の金融市場指数は、複数の数字の桁から構成され、
前記第１の値は、前記複数の桁の少なくとも１つを利用した数式に少なくとも部分的に基づくものである、
ことを特徴とするシステム。
【請求項８】
請求項１記載のシステムであって、
前記第１の金融市場指数は、複数の数字の桁から構成され、
前記第１の値は、前記複数の桁の少なくとも１つの特定の桁の値に少なくとも部分的に基づくものであり、
前記コントローラはさらに、前記特定の桁を特定する賭けを受け付けるよう構成される、
ことを特徴とするシステム。
【請求項９】
請求項１記載のシステムであって、
前記第１の金融市場指数は、ダウジョーンズ工業平均、ＮＡＳＤＡＱ、ＦＴＳＥ（Ｆｉｎａｎｃｉａｌ  Ｔｉｍｅｓ  Ｓｔｏｃｋ  Ｅｘｃｈａｎｇｅ）、Ｓ＆Ｐ５００の少なくとも１つに係るものであることを特徴とするシステム。
【請求項１０】
請求項１記載のシステムであって、
前記第１の値は、前記コントローラが賭けを受け付けてから所定の期間後の前記第１の金融市場指数の桁の値に基づくことを特徴とするシステム。
【請求項１１】
請求項１０記載のシステムであって、
前記賭けは、前記所定の期間を特定することを特徴とするシステム。
【請求項１２】
請求項１記載のシステムであって、
前記コントローラはさらに、前記第１の金融市場指数のソースを特定する賭けを受け付けるよう構成されることを特徴とするシステム。
【請求項１３】
請求項１記載のシステムであって、
前記コントローラはさらに、前記決定された結果に少なくとも部分的に基づき、賭けの払戻を決定するよう構成されることを特徴とするシステム。
【請求項１４】
請求項１３記載のシステムであって、
前記賭けは、賭け金と関連付けされ、
前記払戻の決定はさらに、前記賭け金に基づく、
ことを特徴とするシステム。
【請求項１５】
請求項１記載のシステムであって、
前記第２の値は、第２の金融市場指数の桁の値に少なくとも部分的に基づくものであることを特徴とするシステム。
【請求項１６】
請求項１記載のシステムであって、
前記第２の値は、前記第１の金融市場指数の第２の桁の値に少なくとも部分的に基づくものであることを特徴とするシステム。
【請求項１７】
請求項１５記載のシステムであって、
当該システムはさらに、前記スロットマシーンのリールの回転に関する賭けを通信するよう動作可能なクライアントから構成されることを特徴とするシステム。
【請求項１８】
請求項１記載のシステムであって、
前記第１の金融市場指数は利用可能でない場合、前記コントローラは、非ランダムな数値データに基づき前記第１の値を決定するよう構成されることを特徴とするシステム。
【請求項１９】
請求項１８記載のシステムであって、
前記非ランダムな数値データは、特定の場所の天候、米国国債、特定の都市の電力消費量、テレビ格付け、特定の施設により生成される電力出力及び特定のスポートイベントの結果の少なくとも１つに係るものであることを特徴とするシステム。
【請求項２０】
請求項５記載のシステムであって、
前記シンボルの少なくとも１つは、ボーナスシンボルから構成され、これに応答して、前記コントローラは、前記賭けに対する増額された払戻を決定するよう構成されることを特徴とするシステム。
【請求項２１】
請求項１記載のシステムであって、
前記第１の値は、前記賭けが発注された時点での前記第１の金融市場指数の少なくとも１つの桁の値に基づくものであることを特徴とするシステム。
【請求項２２】
賭けを受け付け、前記賭けの結果の表示を提供するよう動作可能なプロセッサを有する装置であって、
前記賭けの結果は、第１の金融市場指数が利用可能であるとき、前記第１の金融市場指数の桁の値に少なくとも部分的に基づくスロットマシーンの第１リールの第１の値と、前記スロットマシーンの第２リールの第２の値とに少なくとも部分的に基づくことを特徴とする装置。
【請求項２３】
請求項２２記載の装置であって、
前記プロセッサはさらに、前記賭けの表示をコントローラに通信し、前記コントローラから前記結果の表示を受け付けるよう動作可能であることを特徴とする装置。
【請求項２４】
前記第１の値は、前記第１の金融市場指数が利用不可であるとき、非ランダムな数値データに基づくことを特徴とする装置。
【請求項２５】
複数桁の番号の値を示す賭けを受け付けるよう動作可能なメモリと、
前記メモリに通信接続されるプロセッサと、
を有する装置であって、
前記プロセッサは、
第１の金融市場指数の桁の値に少なくとも部分的に基づき第１の値を決定し、
第２の金融市場指数の桁の値に少なくとも部分的に基づき第２の値を決定し、
前記第１の値及び前記第２の値に少なくとも部分的に基づき当選番号を決定し、
前記当選番号を前記賭けによって示される前記複数桁の番号の値と比較し、
前記比較に少なくとも部分的に基づき前記賭けの結果を決定する、
よう動作可能であることを特徴とする装置。
【請求項２６】
請求項２５記載の装置であって、
前記プロセッサはさらに、第３の金融市場指数の値に少なくとも部分的に基づき第３の値を決定し、
前記当選番号の決定はさらに、前記第３の値に基づく、
ことを特徴とする装置。
【請求項２７】
請求項２５記載の装置であって、
前記第１の値及び前記第２の値は、前記当選番号を決定するための順序に配置され、
該順序は、前記賭けにより示される、
ことを特徴とする装置。
【請求項２８】
請求項２５記載の装置であって、
前記第１の金融市場指数は、複数の数字の桁から構成され、
前記第１の値は、前記複数の桁の最後の桁の値に少なくとも部分的に基づくものである、
ことを特徴とする装置。
【請求項２９】
請求項２５記載の装置であって、
前記第１の金融市場指数は、複数の数字の桁から構成され、
前記第１の値は、前記複数の桁の少なくとも１つを利用した数式に少なくとも部分的に基づくものである、
ことを特徴とする装置。
【請求項３０】
請求項２５記載の装置であって、
前記第１の金融市場指数は、複数の数字の桁から構成され、
前記第１の値は、前記賭けにより特定される前記複数の桁の少なくとも１つの特定の桁の値に少なくとも部分的に基づくものである、
ことを特徴とする装置。
【請求項３１】
請求項２５記載の装置であって、
前記第１の金融市場指数は、ダウジョーンズ工業平均、ＮＡＳＤＡＱ、ＦＴＳＥ（Ｆｉｎａｎｃｉａｌ  Ｔｉｍｅｓ  Ｓｔｏｃｋ  Ｅｘｃｈａｎｇｅ）、Ｓ＆Ｐ５００の少なくとも１つに係るものであることを特徴とする装置。
【請求項３２】
請求項２５記載の装置であって、
前記第１の値は、前記賭けの受け付けから所定の期間後に決定される前記第１の金融市場指数の桁の値に基づくことを特徴とする装置。
【請求項３３】
請求項３２記載の装置であって、
前記賭けは、前記所定の期間を特定することを特徴とする装置。
【請求項３４】
請求項２５記載の装置であって、
前記賭けは、前記第１の金融市場指数のソースを特定することを特徴とする装置。
【請求項３５】
請求項２５記載の装置であって、
前記プロセッサはさらに、前記賭けの結果に少なくとも部分的に基づき、前記賭けの払戻を決定するよう動作可能であることを特徴とする装置。
【請求項３６】
請求項３５記載の装置であって、
前記賭けは、賭け金と関連付けされ、
前記払戻の決定はさらに、前記賭け金に基づく、
ことを特徴とする装置。
【請求項３７】
請求項２５記載の装置であって、
前記第２の値は、第２の金融市場指数の桁の値に少なくとも部分的に基づくものであることを特徴とする装置。
【請求項３８】
請求項２５記載の装置であって、
前記プロセッサはさらに、
前記第１の値をスロットマシーンの第１リールのシンボルにマッピングし、
前記第２の値をスロットマシーンの第２リールのシンボルにマッピングし、
前記スロットマシーンの第１リール及び第２リールのシンボルに少なくとも部分的に基づき、前記賭けの他の結果を決定する、
よう動作可能であることを特徴とする装置。
【請求項３９】
請求項３８記載の装置であって、
前記第１リールと前記第２リールは、前記スロットマシーンにおいて何れかの順序により配置されることを特徴とする装置。
【請求項４０】
請求項３８記載の装置であって、
前記スロットマシーンは、物理的なスロットマシーンから構成されることを特徴とする装置。
【請求項４１】
請求項３８記載の装置であって、
前記スロットマシーンは、バーチャルなスロットマシーンから構成されることを特徴とする装置。